(57)【要約】【課題】乳幼児用具流通セットの販売前には需要者に購入する動機を与えることができ、且つ、乳幼児用具流通セットの購入後には購入者が活用できる機能を有する紙製流通用容器を提供する。【解決手段】おむつ（１０）及び／又はその包装体（２０）を収容するための紙製流通用容器（３０）であって、紙製流通用容器（３０）の外表面には、乳幼児の塗り絵の遊戯によって完成される白黒図画（３０１）を表示した。【選択図】図１
2007126183.tif 000002
【特許請求の範囲】
【請求項１】
乳幼児用具及び／又はその包装体を収容するための紙製流通用容器であって、
この紙製流通用容器の外表面には、乳幼児の遊戯によって完成される未完成図柄が表示されている紙製流通用容器。
【請求項２】
前記未完成図柄は、前記乳幼児用具及び／又はその包装体に表示される図柄と関連付けられるものである請求項１記載の紙製流通用容器。
【請求項３】
前記未完成図柄は、塗り絵であり、
前記乳幼児製品及び／又はその包装体に表示される図柄は、前記塗り絵の完成図柄である請求項１又は２記載の紙製流通用容器。
【請求項４】
前記外表面のＪＩＳ  Ｐ  ８１２６による圧縮強さが、３００Ｎ以上１０００Ｎ以下である請求項３記載の紙製流通用容器。
【請求項５】
前記未完成図柄の一部又は全部が、前記紙製流通用容器から切り取り可能になっている請求項３又は４記載の紙製流通用容器。
【請求項６】
前記乳幼児用具は、おむつである請求項１から５いずれか記載の紙製流通用容器。
【請求項７】
乳幼児用具及び／又はその包装体が紙製流通用容器に収容された乳幼児用具流通セットであって、
前記紙製流通用容器は、請求項１から６いずれか記載の紙製流通用容器である乳幼児用具流通セット。
【発明の詳細な説明】
【技術分野】
【０００１】
本発明は、乳幼児用具及び／又はその包装体を収容するための紙製流通用容器に関する。
【背景技術】
【０００２】
近年、乳幼児用具（例えば、おむつ）を大量販売、大量購入の対象にしたいという要請は、販売者側、使用者側のいずれにおいても高まっている。そこで、従来からの乳幼児用具の販売態様として、乳幼児用具及び／又はその包装体が紙製流通用容器（例えば、段ボール箱）に収容された状態（以下、「乳幼児用具流通セット」の状態と称する）で、使用者に販売される態様を挙げることができる（例えば、特許文献１参照）。
【０００３】
上述の販売態様によれば、乳幼児用具流通セットを販売すれば、収容されている乳幼児用具をまとめて販売したことになるため、販売者側は、乳幼児用具の一定の売り上げを期待できる。また、一般に、乳幼児用具単位で購入するよりも、乳幼児用具流通セット単位で購入する方が、乳幼児用具の単価が安いので、購入者側は、低単価で乳幼児用具を購入できる。
【０００４】
ここで、紙製流通用容器の外表面には、例えば、乳幼児の人気が高いキャラクタのカラー図画のように、乳幼児の一時的な関心を強く惹きつける表示がなされていることが多い。
この紙製流通用容器によれば、紙製流通用容器になされた表示により、乳幼児の一時的な関心がこの紙製流通用容器に強く惹きつけられる。このため、乳幼児の両親、祖父母等の需要者に対し、この紙製流通用容器を含む乳幼児用具流通セットを購入する動機を与えることができる。
【特許文献１】特開２００４−０７５１４２号公報
【発明の開示】
【発明が解決しようとする課題】
【０００５】
しかしながら、乳幼児用具流通セットが購入された後においては、上述した紙製流通用容器は、特に活用されることなく廃棄されるのが一般的であった。
【０００６】
そこで、本発明は、乳幼児用具流通セットの販売前には需要者に購入する動機を与えることができ、且つ、乳幼児用具流通セットの購入後には購入者が活用できる機能を有する紙製流通用容器を提供することを目的とする。
【課題を解決するための手段】
【０００７】
本発明は、具体的には、以下のようなものを提供する。
【０００８】
（１）  乳幼児用具及び／又はその包装体を収容するための紙製流通用容器であって、この紙製流通用容器の外表面には、乳幼児の遊戯によって完成される未完成図柄が表示されている紙製流通用容器。
【０００９】
（１）の発明によれば、紙製流通用容器の外表面に、乳幼児の遊戯の対象となる図柄を表示したので、乳幼児の一時的な関心がこの紙製流通用容器に強く惹きつけられる。従って、乳幼児の両親、祖父母等の需要者に対し、この紙製流通用容器を含む乳幼児用具流通セットを購入する動機を与えることができる。
【００１０】
また、包装体に、乳幼児の遊戯によって完成される未完成図柄を表示したので、乳幼児用具流通セットの購入後、乳幼児は、この未完成図柄を完成させる遊戯を行うことができる。従って、乳幼児用具流通セットの購入後、購入者は紙製流通用容器を乳幼児用の遊戯具として活用できる。
【００１１】
「外表面」とは、紙製流通用容器のうち、流通状態で需要者が視認できる外側表面を意味する。乳幼児の注目を集めやすい部分であることが好ましく、例えば紙製流通用容器の側面の外側表面を挙げることができる。
「乳幼児による遊戯」とは、適度な試行錯誤を経れば、乳幼児が行うことのできる遊戯を意味する。例えば、遊戯を行う乳幼児の月齢もしくは年齢によっても変化するが、塗り絵の遊戯、貼り絵の遊戯等を挙げることができる。
「未完成図柄」とは、遊戯を通じて完成させる余地が残されている図柄を意味する。
【００１２】
（２）  前記未完成図柄は、前記乳幼児用具及び／又はその包装体に表示されている図柄と関連付けられるものである（１）記載の紙製流通用容器。
【００１３】
（２）の発明によれば、未完成図柄を前記乳幼児用具及び／又はその包装体に表示されている図柄と関連付けた。このため、乳幼児は、試行錯誤を通じて、前記乳幼児用具及び／又はその包装体に表示されている図柄と関連付けることにより、未完成図柄を完成させる遊戯を行うことができる。このような試行錯誤を経る遊戯を行うことができる遊戯具は、乳幼児の知育教材としての役割も果たし得る。
従って、乳幼児用具流通セットの購入後、購入者は紙製流通用容器を乳幼児の知育教材としても活用できる。
【００１４】
「関連付けられるもの」とは、合同、相似等の関係にあるものに限らず、一方から他方を連想できるものをも含み、特に限定されないが、貼り絵、塗り絵等を挙げることができる。
【００１５】
（３）  前記未完成図柄は、塗り絵であり、前記乳幼児製品及び／又はその包装体に表示されている図柄は、前記塗り絵の完成図柄である（１）又は（２）記載の紙製流通用容器。
【００１６】
（３）の発明によれば、塗り絵を未完成図柄として採用し、この塗り絵の完成図柄を前記乳幼児製品及び／又はその包装体に表示されている図柄として採用した。このため、乳幼児は、完成図柄と塗り絵とを比較し、試行錯誤を通じて、塗り絵に色彩を付す塗り絵の遊戯を行うことができる。従って、乳幼児用具流通セットの購入後、購入者は紙製流通用容器を塗り絵遊戯具及び乳幼児の知育教材として活用できる。
【００１７】
また、塗り絵の遊戯により付されることとした色彩（例えば、白黒以外の色）について、紙製流通用容器への印刷に伴なう金銭的負担がなくなるため、（３）記載の紙製流通用容器は安価に作製できる。
【００１８】
（４）  前記外表面のＪＩＳ  Ｐ  ８１２６による圧縮強さが、３００Ｎ以上１０００Ｎ以下である（３）記載の紙製流通用容器。
【００１９】
外表面のＪＩＳ  Ｐ  ８１２６による圧縮強さが３００Ｎ未満であると、クレヨンや色鉛筆等の筆記具を介して塗り絵の遊戯を行っても、この筆記具が紙流通用容器に突き刺さりやすくなり、塗り絵の遊戯に支障をきたす。一方、外表面のＪＩＳ  Ｐ  ８１２６による圧縮強さが１０００Ｎを超えると、紙製流通用容器の製造コストが大きくなりすぎるため、不経済である。
【００２０】
ここで、（４）の発明によれば、外表面のＪＩＳ  Ｐ  ８１２６による圧縮強さが、３００Ｎ以上になるように紙流通用容器を形成したので、クレヨンや色鉛筆等の筆記具を介して塗り絵の遊戯を行っても、筆記具が紙流通用容器に突き刺さることが防止される。このため、乳幼児は快適に塗り絵の遊戯を行うことができる。また、外表面のＪＩＳ  Ｐ  ８１２６による圧縮強さが、１０００Ｎ以下になるように紙流通用容器を形成したので、紙製流通用容器の製造コストが抑えられるから、安価に紙流通用容器を製造できる。このため、紙流通用容器を含む乳幼児用具流通セットは、安価に提供できる。
従って、購入者は、乳幼児用具流通セットを安価に購入でき、購入後は、紙製流通用容器を塗り絵遊戯具として、更に有効に活用できる。
【００２１】
（５）  前記未完成図柄の一部又は全部が、前記紙製流通用容器から切り取り可能になっている（３）又は（４）記載の紙製流通用容器。
【００２２】
（５）の発明によれば、未完成図柄の一部又は全部が切り取り可能に紙製流通用容器を形成した。このため、購入者は、乳幼児により未完成図柄から完成された図柄の一部又は全部が付された部位を容易に切り取ることができる。従って、乳幼児の両親、祖父母等の購入者は、この切り取った部位を、例えば、育児の記念品として保管し、活用することもできる。
【００２３】
（６）  前記乳幼児用具は、おむつである（１）から（５）いずれか記載の紙製流通用容器。
【００２４】
（６）の発明によれば、おむつを乳幼児用具として適用した。このため、おむつを、販売前には需要者に購入する動機を与えつつ、購入後には購入者が活用できる機能を有するおむつ流通セットの態様で流通させることにより、おむつの大量販売、大量購入が可能となり得る。
【００２５】
（７）  乳幼児用具及び／又はその包装体が紙製流通用容器に収容された乳幼児用具流通セットであって、前記紙製流通用容器は、（１）から（６）いずれか記載の紙製流通用容器である乳幼児用具流通セット。
【００２６】
（７）記載の乳幼児用具流通セットは、（１）〜（６）記載の紙製流通用容器を乳幼児用具流通セットとして展開したものである。この乳幼児用具流通セットによれば、（１）〜（６）で得られる作用効果と同様の作用効果を奏することができる。
【発明の効果】
【００２７】
本発明の紙製流通用容器及び乳幼児用具流通セットによれば、次の効果が得られる。
紙製流通用容器の外表面に、乳幼児の遊戯の対象となる図柄を表示したので、乳幼児の一時的な関心がこの紙製流通用容器に強く惹きつけられる。従って、乳幼児の両親、祖父母等の需要者に対し、この紙製流通用容器を含む乳幼児用具流通セットを購入する動機を与えることができる。
また、包装体に、乳幼児の遊戯によって完成される未完成図柄を表示したので、乳幼児用具流通セットの購入後、乳幼児は、この未完成図柄を完成させる遊戯を行うことができる。従って、乳幼児用具流通セットの購入後、購入者は紙製流通用容器を乳幼児用の遊戯具として活用できる。
【発明を実施するための最良の形態】
【００２８】
以下、本発明の実施形態を図面に基づいて説明する。なお、以下の実施形態の説明において同一の構成については同一符号を付し、その説明を省略もしくは簡略化する。
【００２９】
＜第１実施形態＞
［構成］
図１は、おむつ流通セット１の流通段階における通常の形態を示す全体斜視図であり、図２は、図１におけるおむつ流通セット１の紙製流通用容器３０の上面が開放されたときの状態を示す全体斜視図である。また、図３は、図１のおむつ流通セット１をＰ方向から見た矢視側面図である。
【００３０】
乳幼児用具流通セットの一例としてのおむつ流通セット１は、乳幼児用具の一例としてのおむつを包装する包装体２０（後述する図４参照）が、紙製流通用容器３０に収容されて構成されている。
【００３１】
紙製流通用容器３０の側面の外側表面（外表面の一例）には、乳幼児による遊戯の対象となる未完成図柄の一例として、乳幼児に人気のあるキャラクタの白黒図画３０１が表示されている。この白黒図画３０１は、後述するカラー図画２０１（後述する図４及び図５参照）と関連付けられる塗り絵である。
【００３２】
ここで、紙製流通用容器３０の外表面のＪＩＳ  Ｐ  ８１２６による圧縮強さは、３００Ｎ以上１０００Ｎ以下であることが好ましい。より好ましくは、５００Ｎ以上６００Ｎ以下である。なお、この圧縮強さは、ＪＩＳ  Ｐ  ８１２６において、ビームの荷重容量１０００Ｎの圧縮試験機「オートグラフ」（島津製作所社製）を使用し、１０回測定した際の平均値として求められる値である。
【００３３】
また、紙製流通用容器３０は、特に限定されないが、段ボール箱、美粧段ボール箱等で構成することができる。このうち、紙製流通用容器３０は、塗り絵遊戯具として活用する観点から、白色の段ボール箱で形成されていることが好ましい。
【００３４】
図４は、おむつ流通セット１の包装体２０の全体斜視図である。また、図５は、図４の包装体２０をＱ方向から見た矢視側面図である。
図示しないが、包装体２０はおむつを包装している。そして、包装体２０には、塗り絵の完成図柄の一例として、白黒図画３０１に色彩が付されたカラー図画２０１が表示されている。
【００３５】
包装体２０の材料としては、特に限定されないが、フィルム、複合フィルム、紙等を挙げることができ、その形状としては袋形、箱形等を挙げることができる。
【００３６】
［使用方法］
乳幼児は、まず、カラー図画２０１と白黒図画３０１とを比較する。
そして、乳幼児は、次のような試行錯誤を行う。即ち、乳幼児は、カラー図画２０１のうち、白黒図画３０１を構成する図画各々に対応するカラー図画を選別する。次に、白黒図画３０１の各部位に付すべき色彩を、対応するカラー図画に基づいて判断する。そして、判断した色彩を付すことのできる筆記具を選択する。
これらの試行錯誤を経た後、乳幼児は、選択した筆記具を介して、白黒図画の各部位に色彩を付す。
以上のような塗り絵の遊戯を繰り返すことで、乳幼児は白黒図画３０１を完成させることができる。
【００３７】
［作用効果］
本実施形態によれば、以下のような作用効果が得られる。
（Ａ）紙製流通用容器３０の側面の外側表面に、乳幼児に人気のあるキャラクタの白黒図画３０１を表示したので、乳幼児の一時的な関心が紙製流通用容器３０に強く惹きつけられる。従って、乳幼児の両親、祖父母等の需要者に対し、紙製流通用容器３０を含んでいるおむつ流通セット１を購入する動機を強く与えることができる。
【００３８】
（Ｂ）包装体２０に、白黒図画３０１に色彩が付されたカラー図画２０１を表示したので、おむつ流通セット１の購入後、乳幼児は、カラー図画２０１を参考にして、白黒図画３０１に色彩を付す塗り絵の遊戯を行うことができる。従って、おむつ流通セット１の購入後、購入者は紙製流通用容器３０を塗り絵遊戯具として活用できる。
【００３９】
（Ｃ）上述したように、乳幼児は、カラー図画２０１を参考にして、白黒図画３０１に色彩を付す塗り絵の遊戯を行う。このような試行錯誤を経る遊戯を行うことができる紙製流通用容器３０は、乳幼児の知育教材としても活用できる。
【００４０】
（Ｄ）塗り絵の遊戯により付されることとした色彩（例えば、白黒以外の色）については、紙製流通用容器３０への印刷に伴なう金銭的負担がなくなるため、紙製流通用容器３０は安価に作製できる。
【００４１】
（Ｅ）外表面のＪＩＳ  Ｐ  ８１２６による圧縮強さが、３００Ｎ以上になるように紙流通用容器３０を形成したので、クレヨンや色鉛筆等の筆記具を介して塗り絵の遊戯を行っても、筆記具が紙流通用容器３０に突き刺さることが防止される。このため、乳幼児は快適に塗り絵の遊戯を行うことができる。また、外表面のＪＩＳ  Ｐ  ８１２６による圧縮強さが、１０００Ｎ以下になるように紙流通用容器３０を形成したので、紙製流通用容器３０の製造コストが抑えられるから、安価に紙流通用容器３０を製造できる。このため、紙流通用容器３０を含む乳幼児用具流通セット１は、安価に提供できる。
従って、購入者は、乳幼児用具流通セット１を安価に購入でき、購入後は、紙製流通用容器３０を塗り絵遊戯具として、更に有効に活用できる。
【００４２】
（Ｆ）おむつ１０を乳幼児用具として適用した。このため、おむつ１０を、販売前には需要者に購入する動機を与えつつ、購入後には購入者が活用できる機能を有するおむつ流通セット１の態様で販売することにより、おむつ１０の大量販売、大量購入が可能となり得る。
【００４３】
＜第２実施形態＞
［構成］
図６は、おむつ流通セット１’の紙製流通用容器３０’の側面の外側表面を示す側面図である。
本実施形態では、おむつ流通セット１’の構造が第１実施形態と異なる。
即ち、図示しないが、おむつ流通セット１’は、おむつを包装した包装体が紙製流通用容器３０’に収容され、構成されている。
【００４４】
紙製流通用容器３０’には、白黒図画３０１が表示されている部位の周囲に、ミシン目破線３０３が設けられている。このミシン目破線３０３に囲まれることにより、切り取り可能部位３０２が形成されている。
【００４５】
［作用効果］
本実施形態によれば、前述した（Ａ）〜（Ｆ）に加えて、次のような作用効果が得られる。
（Ｇ）白黒図画３０１が表示されている部位の周囲に、ミシン目破線３０３を設けた。このため、購入者は、ミシン目破線３０３に沿って紙製流通用容器３０を切断等することにより、白黒図画３０１に対して乳幼児による塗り絵の遊戯が行われた後の図画の全部を容易に切り取ることができる。そして、乳幼児の両親、祖父母等の購入者は、切り取った図画を、例えば育児の記念品として保管し、活用することができる。
【００４６】
なお、本発明は前記実施形態に限定されるものではなく、本発明の目的を達成できる範囲での変形、改良等は本発明に含まれるものである。
【実施例】
【００４７】
［実施例］
本実施例では、第１実施形態と同様に、紙製流通用容器３０の外表面のＪＩＳ  Ｐ  ８１２６による圧縮強さを、各々、３００Ｎ以上１０００Ｎ以下とした（後述する表１参照）。なお、各々の圧縮強さは、ＪＩＳ  Ｐ  ８１２６において、ビームの荷重容量１０００Ｎの圧縮試験機「オートグラフ」（島津製作所社製）を使用し、１０回測定した際の平均値として求めた値である。また、この紙製流通用容器３０の寸法は、５００ｍｍ×２６５ｍｍ（底面）×４５０ｍｍ（高さ）とした。
１歳〜３歳（各１０人）の乳幼児が塗り絵遊戯具として約１か月間使用した後の、各々の紙製流通用容器３０を観察し、筆記具が紙流通用容器３０に突き刺さって形成された破損部の数の平均数（紙流通用容器１個あたり）を測定した。
【００４８】
［比較例］
本比較例では、紙製流通用容器３０の外表面のＪＩＳ  Ｐ  ８１２６による圧縮強さを、３００Ｎ未満とした（後述する表１参照）点を除き、紙製流通用容器３０の構成及び評価条件は、実施例と同様とした。
【００４９】
［試験結果］
実施例及び比較例において測定された破損部の数を、表１に示す。
表１に示されるように、実施例は、比較例に比べて、形成された破損部の数が大きく下回った。従って、実施例の紙製流通用容器によれば、乳幼児は快適に塗り絵の遊戯を行うことができることが分かった。よって、購入者は、乳幼児用具流通セットの購入後、実施例の紙製流通用容器を塗り絵遊戯具として、更に有効に活用できることが分かった。
【００５０】
【表１】
2007126183.tif 000003
【００５１】
＜変形例＞
（変形例１）
前記実施形態におけるおむつ１０は、必ずしも、包装体に包装されている必要はない。
【００５２】
図７は、乳幼児用具流通セットのおむつ１０の表示状態を示す側面図である。
おむつ１０には、前述したカラー図画２０１に相当するカラー図画１０１が表示されている。
このおむつ１０によれば、カラー図画２０１に相当するカラー図画１０１が表示されているので、前記実施形態により得られる作用効果と同様の作用効果を奏することができる。
【００５３】
（変形例２）
紙製流通用容器の外表面に表示される白黒図画、及び、おむつ及び／又はその包装体に表示されるカラー図画は、おむつ１０が好ましく使用される乳幼児の年齢もしくは月齢の範囲（以下、「使用適齢」と称する）に応じて、変化させてもよい。例えば、おむつ１０の使用適齢が大きくなるにつれて、これら白黒図画及びカラー図画を、塗り絵の遊戯の難易度が高くなるように構成できる。
【００５４】
図８（Ａ）〜（Ｃ）は、各々、紙製流通用容器３０Ａ〜３０Ｃの外表面に表示された白黒図画３０１Ａ〜Ｃの状態を示す側面図である。図９（Ａ）〜（Ｃ）は、各々、包装体２０Ａ〜２０Ｃに表示されたカラー図画２０１Ａ〜Ｃの状態を示す側面図である。
乳児期初期段階の乳幼児に好ましく用いられるおむつ（例えば、テープ型おむつ）のおむつ流通セット１Ａは、このおむつを包装する包装体２０Ａがおむつ流通用容器３０Ａに収容されて、構成されている。おむつ流通用容器３０Ａの側面の外側表面には、シンプルなデザインの白黒図画３０１Ａが表示されており、包装体２０Ａに表示されているシンプルなデザインのカラー図画２０１Ａと関連付けられている。
【００５５】
また、乳児期中期段階の乳幼児に好ましく用いられるおむつ（例えば、Ｓサイズのパンツ型おむつ）のおむつ流通セット１Ｂは、このおむつを包装する包装体２０Ｂがおむつ流通用容器３０Ｂに収容されて、構成されている。おむつ流通用容器３０Ｂの側面の外側表面には、白黒図画３０１Ａに帽子の図柄が追加された白黒図画３０１Ｂが表示されており、包装体２０Ｂに表示されているカラー図画２０１Ｂと関連付けられている。
【００５６】
そして、乳児期終期段階の乳幼児に好ましく用いられるおむつ（例えば、Ｍ〜Ｌサイズのパンツ型おむつ）のおむつ流通セット１Ｃは、このおむつを包装する包装体２０Ｃが流通用容器３０Ｃに収容されて、構成されている。おむつ流通用容器３０Ｃの側面の外表面には、白黒図画３０１Ｂに花の図柄が追加された白黒図画３０１Ｃが表示されており、包装体２０Ｃに表示されているカラー図画２０１Ｃと関連付けられている。
【００５７】
紙製流通用容器３０Ａによれば、白黒図画３０１Ａ及びカラー図画２０１Ａをシンプルなデザインとしたので、乳児期初期段階の乳幼児であっても、適度な試行錯誤を経て、塗り絵の遊戯を行うことができる。
紙製流通用容器３０Ｂによれば、白黒図画３０１Ｂを、白黒図画３０１Ａに帽子の図柄を追加して構成したので、乳児期中期段階の乳幼児は、例えば、シンプルなデザイン部分と帽子図柄部分とを塗り分けるといった、この乳幼児にとっての適度な試行錯誤を経て、塗り絵の遊戯を行うことができる。
紙製流通用容器３０Ｃによれば、白黒図画３０１Ｃを、白黒図画３０１Ｂに花図柄を追加して構成したので、乳児期中期段階の乳幼児は、例えば、シンプルなデザイン部分と帽子図柄部分とを塗り分け、更に花柄を塗り分けるといった、この乳幼児にとっての適度な試行錯誤を経て、塗り絵の遊戯を行うことができる。
【００５８】
上述したように、紙製流通用容器３０Ａ〜Ｃによれば、使用適齢にある乳幼児は、白黒図画３０１Ａ〜Ｃに対する塗り絵の遊戯の過程において、適度な試行錯誤を行う。このため、この紙製流通用容器３０Ａ〜Ｃは、各々の使用適齢にある乳幼児の知育教材として更に好適に使用できる。
【００５９】
（変形例３）
前記実施形態におけるおむつ流通セット１の白黒図画３０１及びカラー図画２０１は、おむつ１０が好ましく使用される乳幼児の性別に応じて、変化させてもよい。即ち、おむつ１０が好ましく使用される乳幼児の性別に応じて、その性別の乳幼児の関心をより強く惹きつけることが可能な白黒図画を紙製流通用容器の外表面に、カラー図画をおむつ及び／又はその包装体に表示できる。
【００６０】
図１０（Ａ）〜（Ｃ）は、各々、紙製流通用容器３０Ｄ〜Ｆの外表面に表示された白黒図画３０１Ｄ〜Ｆの状態を示す側面図である。
男性乳幼児に好ましく用いられるおむつのおむつ流通セット１Ｄを構成するおむつ流通用容器３０Ｄの側面の外側表面には、男性乳幼児の関心を強く惹く白黒図画３０１Ｄが表示されている。
女性乳幼児に好ましく用いられるおむつのおむつ流通セット１Ｅを構成するおむつ流通用容器３０Ｅの側面の外側表面には、女性乳幼児の関心を強く惹く白黒図画３０１Ｅが表示されている。
男性乳幼児及び女性乳幼児のいずれにも好ましく用いられるおむつのおむつ流通セット１Ｆを構成するおむつ流通用容器３０Ｆの側面の外側表面には、男性乳幼児の関心を強く惹く白黒図画と、女性乳幼児の関心を強く惹く白黒図画とを含む白黒図画３０１Ｆが表示されている。
【００６１】
紙製流通用容器３０Ｄ〜Ｆによれば、各々、これらの側面の外側表面に、好ましく使用される性別の乳幼児の関心をより強く惹きつけることが可能な白黒図画３０１Ｄ〜Ｆを表示した。このため、各性別の乳幼児の関心は、紙製流通用容器３０Ｄ〜Ｆに、各々、より強く惹きつけられる。従って、乳幼児の両親、祖父母等の需要者に対し、この紙製流通用容器３０Ｄ〜Ｆを含んでいるおむつ流通セット１Ｄ〜Ｆを購入する動機を、より強く与えることができる。
【００６２】
（変形例４−１）
前記実施形態における紙製流通用容器３０は、更に撥水処理を施されたものであってもよい。ここで、撥水処理は、公知の撥水材を用いて行うことができる。
撥水処理を施した紙製流通用容器３０によれば、例えば浸水による損傷にも耐えることができる。
【００６３】
（変形例４−２）
図１１は、おむつ流通セット１Ｇの紙製流通用容器３０Ｇの撥水処理状態を示す全体斜視図である。
撥水処理は、この紙製流通用容器３０Ｇのうち、図中で示される仮想的点線で囲まれた、白黒図画３０１の周辺部位３０４を除いた部分についてのみ施されている。
【００６４】
紙製流通用容器３０Ｇによれば、白黒図画３０１の周辺部位３０４には撥水処理が施されていない。このため、乳幼児は、例えばクレヨンのような油性筆記具を用いて、白黒図画３０１に色彩を付す塗り絵の遊戯を、快適に行うことができる。
【００６５】
（変形例５−１）
図１２は、おむつ流通セットの貼り絵遊戯具としての使用方法を示す図である。
前記実施形態において、未完成図柄は塗り絵としたが、貼り絵とする場合、おむつ流通セットは例えば次のように使用できる。
即ち、乳幼児は、まず、カラー図画２０１と白黒図画３０１とを比較する。
そして、乳幼児は、試行錯誤を通じて、カラー図画２０１のうち、例えば白黒図画３０１１に対応するカラー図画２０１１を選別する。
次に、白黒図画３０１１に貼り付けるべきカラー図画２０１１を、例えば切り取ることにより、取り出す。そして、この取り出したカラー図柄２０１１を白黒図画３０１１に貼り付ける。
以上のような貼り絵の遊戯を、カラー図柄２０１２及び白黒図柄３０１２についても行うことにより、貼り絵３０１を完成させることができる。
【００６６】
なお、貼り絵遊戯具として紙製流通用容器を構成するときは、カラー図画２０１と白黒図画とが合同の関係にあることが好ましい。
【００６７】
上述した紙製流通用容器によれば、前述の（Ａ）、（Ｄ）及び（Ｆ）に加え、次のような作用効果が得られる。
（Ｈ）包装体２０に、白黒図画３０１と関連付けられるカラー図画２０１を表示したので、おむつ流通セット１の購入後、乳幼児は、カラー図画２０１を白黒図画３０１に貼り付ける貼り絵の遊戯を行うことができる。従って、おむつ流通セットの購入後、購入者は紙製流通用容器３０を貼り絵遊戯具として活用できる。
【００６８】
（Ｉ）上述したように、乳幼児は、カラー図画２０１を白黒図画３０１に貼り付ける貼り絵の遊戯を行う。このような試行錯誤を経る遊戯を行うことができる紙製流通用容器３０は、乳幼児の知育教材としても活用できる。
【００６９】
（変形例５−２）
図１３は、包装体２０Ｄの側面図である。
包装体２０Ｄに表示されている図柄２０１の周縁には、ミシン目破線２０２が設けられている。また、ミシン目破線２０２は、図柄２０１を構成する各々の図柄の周縁に設けられている。
【００７０】
包装体２０Ｄによれば、図柄２０１の各々の図柄の周縁にミシン目破線２０２を形成したので、はさみやカッター等の工具を用いることなく、乳幼児は各々の図柄を取り出すことができる。従って、乳幼児はより安全に貼り絵の遊戯を行うことができる。
【００７１】
なお、ミシン目破線２０２は、必ずしも図柄２０１を構成する各々の図柄の周縁に設ける必要はない。即ち、図柄２０１全体を囲むようにミシン目破線を設けることもできる。
【図面の簡単な説明】
【００７２】
【図１】本発明の第１実施形態に係る乳幼児用具流通セットの流通段階における通常の形態を示す全体斜視図である。
【図２】図１の乳幼児用具流通セットの紙製流通用容器上面が開放されたときの状態を示す全体斜視図である。
【図３】図１の乳幼児用具流通セットをＰ方向から見た矢視側面図である。
【図４】前記実施形態に係る乳幼児用具流通セットの包装体の全体斜視図である。
【図５】図２の包装体をＱ方向から見た矢視側面図である。
【図６】本発明の第２実施形態に係る乳幼児用具流通セットの紙製流通用容器の外表面を示す側面図である。
【図７】本発明の変形例に係る乳幼児用具流通セットの乳幼児用具に表示された図柄の状態を示す側面図である。
【図８】本発明の変形例に係る乳幼児用具流通セットの紙製流通用容器の外表面に表示された未完成図柄の状態を示す側面図である。
【図９】本発明の変形例に係る乳幼児用具流通セットの包装体に表示された図柄の状態を示す側面図である。
【図１０】本発明の変形例に係る乳幼児用具流通セットの紙製流通用容器の外表面に表示された未完成図柄の状態を示す側面図である。
【図１１】本発明の変形例に係る乳幼児用具流通セットの紙製流通用容器の撥水処理状態を示す全体斜視図である。
【図１２】本発明の変形例に係る乳幼児用具流通セットの使用態様を示す図である。
【図１３】本発明の変形例に係る乳幼児用具流通セットの包装体の側面図である。
【符号の説明】
【００７３】
１      おむつ流通セット（乳幼児用具流通セット）
１０    おむつ（乳幼児用具）
２０    包装体
３０    紙製流通用容器
２０１  カラー図画（塗り絵の完成図柄）
３０１  白黒図画（未完成図柄）
３０２  切り取り可能部位
３０３  ミシン目破線
【図１】
2007126183.tif 000004
【図２】
2007126183.tif 000005
【図３】
2007126183.tif 000006
【図４】
2007126183.tif 000007
【図５】
2007126183.tif 000008
【図６】
2007126183.tif 000009
【図７】
2007126183.tif 000010
【図８】
2007126183.tif 000011
【図９】
2007126183.tif 000012
【図１０】
2007126183.tif 000013
【図１１】
2007126183.tif 000014
【図１２】
2007126183.tif 000015
【図１３】
2007126183.tif 000016